(57)【要約】【課題】  窓用フレームの枠部材の断面積増大を抑制しつつ、風雨が強い時に雨水の屋内への吹き込みを防止することができるようにする。【解決手段】  換気装置は、窓フレーム４の縦枠１０（枠部材）と、縦枠１０に設けられた換気構造とを備えている。縦枠１０は、その長手方向に延びるとともに閉断面形状で中空をなす主部１１を有している。主部１１は屋外側壁部１１ａと屋内側壁部１１ｂを有している。換気構造は、屋外側壁部１１ａに形成された屋外側換気口１７と、屋内側壁部１１ｂに形成されるとともに屋外側換気口１７の上方に位置する屋内側換気口１８と、シャッタ板４７とを備えている。シャッタ板４７は、屋外側換気口１７と屋内側換気口１８との間において、主部１１の内部空間１５に配置され、主部１１に回動可能に支持されている。シャッタ板４７は、風圧が弱い時には、内部空間１５での空気の流通を許容し、風圧が強い時には、その風圧により内部空間１５での空気の流通を遮断する。【選択図】図５
2019203613.tif 000002
【特許請求の範囲】
【請求項１】
窓用フレームの一部を構成するとともに直線状に延びる枠部材と、上記枠部材に設けられた換気構造とを備え、
上記枠部材は、その長手方向に延びるとともに閉断面形状で中空をなす主部を有し、上記主部は屋外側壁部と屋内側壁部を有しており、
上記換気構造は、上記屋外側壁部に形成された屋外側換気口と、上記屋内側壁部に形成されるとともに上記屋外側換気口から上記枠部材の長手方向に離間した屋内側換気口と、上記屋外側換気口と上記屋内側換気口との間において上記主部の内部空間に配置され上記主部に回動可能に支持されたシャッタ板とを備え、
上記シャッタ板は、風圧が弱い時には、上記主部の上記内部空間での空気の流通を許容し、風圧が強い時には、その風圧により上記主部の上記内部空間での空気の流通を遮断することを特徴とする換気装置。
【請求項２】
上記シャッタ板は、その回動軸線から見て上記屋外側換気口寄りの第１部分が、上記屋内側換気口寄りの第２部分より長く形成されており、
上記シャッタ板は、風圧が弱い時には、姿勢維持手段により上記枠部材の長手方向に沿う姿勢を維持されて、上記主部の上記内部空間での空気の流通を許容し、風圧が強い時には、その風圧により上記姿勢維持手段に抗して回動して、上記主部の上記内部空間での空気の流通を遮断することを特徴とする請求項２に記載の換気装置。
【請求項３】
上記姿勢維持手段は、上記シャッタ板を回動付勢するバネと、上記バネの付勢方向への上記シャッタ板の回動を規制するストッパとを含むことを特徴とする請求項２に記載の換気装置。
【請求項４】
さらに、シャッタユニットを備え、上記シャッタユニットは、上記主部の上記内部空間に配置されるユニット本体と、このユニット本体に回動可能に支持された上記シャッタ板と、上記ユニット本体に設けられた上記バネおよび上記ストッパと、を有することを特徴とする請求項３に記載の換気装置。
【請求項５】
上記主部の上記屋内側壁部には、上記屋外側換気口と上記屋内側換気口との間に取付口が形成され、上記ユニット本体の屋内側には鍔部が形成されており、
上記シャッタユニットは、上記ユニット本体が上記取付口に挿入されるとともに、上記鍔部が上記屋内側壁部に固定された状態で、上記主部の上記内部空間に配置されていることを特徴とする請求項４に記載の換気装置。
【請求項６】
上記主部は、上記屋外側壁部と上記屋内側壁部を有するとともに、上記枠部材の長手方向および屋内外方向と直交する方向に対向する第１及び第２壁部とを有し、その断面形状が上記第１及び第２壁部の対向方向に細長い矩形をなしており、
上記屋内側壁部には、上記第１壁部寄りに位置するとともに屋内に向かって突出する凸部が形成されており、上記取付口は、上記屋内側壁部において上記凸部が形成されていない領域に形成されており、
上記ユニット本体は、断面矩形の筒形状をなし、上記第２壁部に接近し、上記第１壁部から離れて配置されるとともに、上記第１壁部に臨む開口部を有しており、
上記シャッタ板が閉じ方向に回動する際に、上記第１部分が上記開口部から突出して上記第１壁部に当たることを特徴とする請求項５に記載の換気装置。
【請求項７】
上記枠部材が上下方向に延びる縦枠であり、上記屋外側換気口に対して屋外側換気口が上方に配置されていることを特徴とする請求項１〜６のいずれかに記載の換気装置。
【請求項８】
上記主部の上記屋内側壁部には、上記屋内側換気口を介しての空気の流通を調節する換気調節装置が設けられていることを特徴とする請求項１〜７のいずれかに記載の換気装置。
【請求項９】
上記枠部材は、上記枠部材の長手方向に延びるとともに上記主部より屋内側に配置され屋内に向かって開放された収容空間を有し、この収容空間内に上記換気調節装置が配置されており、
上記収容空間は枠部材の長手方向に延びるカバー部材により覆われており、このカバー部材には、上記換気調節装置の操作つまみに対応する箇所に操作口が形成されるとともに、上記屋内側換気口に対応する箇所に補助換気口が形成されていることを特徴とする請求項８に記載の換気装置。
【発明の詳細な説明】
【技術分野】
【０００１】
本発明は、窓用フレームに装備される換気装置に関する。
【背景技術】
【０００２】
壁の開口を縁取る開口フレームや、この開口フレームにスライド可能に支持されるか嵌め殺しに取り付けられたサッシ窓の窓フレームにおいて、これらフレームの一部となる枠部材に、換気構造を設けることは公知である。
上記換気構造には、単に枠部材に通気路を形成して自然換気を行なうタイプと、枠部材に手動式の換気調節装置を組み込むタイプがある。
【０００３】
自然換気を行なう場合には、風雨が強い時に雨水が屋内に吹き込んでくることがある。
また、手動式の換気調節装置を組み込んだ場合には、風雨が強い時に手動で換気調節装置の通気路を閉じる手間を要する。また通気路を開いたまま留守にした状態で風雨が強くなった時に、自然換気の場合と同様に雨水が屋内に吹き込んでくることがある。
【０００４】
後記の特許文献１，２では、枠部材の屋内側に換気調節装置が設けられ、屋外側に回動可能にシャッタ板が設けられており、風雨が強い時にはシャッタ板が風圧により回動して通気路を閉じるようになっており、上記の２つのタイプの欠点を補っている。
【先行技術文献】
【特許文献】
【０００５】
【特許文献１】ＷＯ２０１５／１９８４１６号公報
【特許文献２】特開２０１６−２１７６４２号公報
【特許文献３】特開２００６−３２８８０２号公報
【発明の概要】
【発明が解決しようとする課題】
【０００６】
特許文献１，２の換気装置では、枠部材と直交する方向に空気が流れるように通風路が形成され、この通風路にシャッタ板が配置されているため、枠部材の断面積が増大してしまう。さらに特許文献１，２では、換気調節装置が枠部材と直交する方向にシャッタ板と並んで配置されているため、より一層枠部材の断面積の増大を招いている。
特許文献３の換気装置では、本発明と同様に、枠部材に、その長手方向に離間した屋外側換気口と屋内側換気口が形成されており、屋外側換気口からの空気が枠部材の内部空間を経て屋内側換気口から屋内に流れ込むようになっている。しかし、風圧によって作動するシャッタ板は開示されていない。
【課題を解決するための手段】
【０００７】
本発明は上記課題を解決するためになされたもので、換気装置において、窓用フレームの一部を構成するとともに直線状に延びる枠部材と、上記枠部材に設けられた換気構造とを備え、上記枠部材は、その長手方向に延びるとともに閉断面形状で中空をなす主部を有し、上記主部は屋外側壁部と屋内側壁部を有しており、上記換気構造は、上記屋外側壁部に形成された屋外側換気口と、上記屋内側壁部に形成されるとともに上記屋外側換気口から上記枠部材の長手方向に離間した屋内側換気口と、上記屋外側換気口と上記屋内側換気口との間において上記主部の内部空間に配置され上記主部に回動可能に支持されたシャッタ板とを備え、上記シャッタ板は、風圧が弱い時には、上記主部の上記内部空間での空気の流通を許容し、風圧が強い時には、その風圧により上記主部の上記内部空間での空気の流通を遮断することを特徴とする。
【０００８】
上記構成によれば、風雨が強い時にシャッタ板が枠部材の主部の内部空間での空気の流通を遮断することにより、屋内に雨水が吹き込むのを防止することができる。しかも、枠部材の長手方向に延びる主部の内部空間が通気路となり、この通気路にシャッタ板が配置されているので、枠部材の断面積の増大を招かない。
【０００９】
好ましくは、上記シャッタ板は、その回動軸線から見て上記屋外側換気口寄りの第１部分が、上記屋内側換気口寄りの第２部分より長く形成されており、上記シャッタ板は、風圧が弱い時には、姿勢維持手段により上記枠部材の長手方向に沿う姿勢を維持されて、上記主部の上記内部空間での空気の流通を許容し、風圧が強い時には、その風圧により上記姿勢維持手段に抗して回動して、上記主部の上記内部空間での空気の流通を遮断する。
上記構成によれば、シャッタは枠部材の長手方向に沿う姿勢で空気の流通を許容するので、円滑な空気の流通を行なうことができ、また、第１部分と第２部分との受圧面積の差により、確実に空気の流通を遮断することができる。
【００１０】
好ましくは、上記姿勢維持手段は、上記シャッタ板を回動付勢するバネと、上記バネの付勢方向への上記シャッタ板の回動を規制するストッパとを含む。
上記構成によれば、シャッタ板は空気の流通を許容する姿勢を安定して維持することができる。また、バネにより、シャッタ板が空気の流通を遮断する動作時の風圧を適宜設定することができる。
【００１１】
好ましくは、さらに、シャッタユニットを備え、上記シャッタユニットは、上記主部の上記内部空間に配置されるユニット本体と、このユニット本体に回動可能に支持された上記シャッタ板と、上記ユニット本体に設けられた上記バネおよび上記ストッパと、を有する。
上記構成によれば、予め組み立てられたシャッタユニットを枠部材に設置するので、シャッタ板、バネおよびストッパの設置作業を簡略化することができる。
【００１２】
好ましくは、上記主部の上記屋内側壁部には、上記屋外側換気口と上記屋内側換気口との間に取付口が形成され、上記ユニット本体の屋内側には鍔部が形成されており、上記シャッタユニットは、上記ユニット本体が上記取付口に挿入されるとともに、上記鍔部が上記屋内側壁部に固定された状態で、上記主部の上記内部空間に配置されている。
上記構成によれば、シャッタユニットの設置作業をより一層簡略化することができる。
【００１３】
好ましくは、上記主部は、上記屋外側壁部と上記屋内側壁部を有するとともに、上記枠部材の長手方向および屋内外方向と直交する方向に対向する第１及び第２壁部とを有し、その断面形状が上記第１及び第２壁部の対向方向に細長い矩形をなしており、上記屋内側壁部には、上記第１壁部寄りに位置するとともに屋内に向かって突出する凸部が形成されており、上記取付口は、上記屋内側壁部において上記凸部が形成されていない領域に形成されており、上記ユニット本体は、断面矩形の筒形状をなし、上記第２壁部に接近し、上記第１壁部から離れて配置されるとともに、上記第１壁部に臨む開口部を有しており、上記シャッタ板が閉じ方向に回動する際に、上記第１部分が上記開口部から突出して上記第１壁部に当たる。
上記構成によれば、シャッタユニットが第１壁部から離れ第２壁部に接近して設置されていても、シャッタ板の第１部分がユニット本体の開口部から突出して第１壁部に当たることにより、空気の流通を遮断することができる。
【００１４】
上記枠部材が上下方向に延びる縦枠であり、上記屋外側換気口に対して屋外側換気口が上方に配置されている。
上記構成によれば、シャッタ板が空気の流通を遮断している状態において、重力の作用により、屋外側換気口からの雨水が主部の壁を伝ってシャッタ板に向かって流れるのを防止できる。
【００１５】
好ましくは、上記主部の上記屋内側壁部には、上記屋内側換気口を介しての空気の流通を調節する換気調節装置が設けられている。
上記構成によれば、換気調節装置により、最適な換気を実現できる。しかも、換気調節装置とシャッタ板は枠部材の長手方向に離れて配置されているので、枠部材の断面積の増大を招かない。
【００１６】
好ましくは、上記枠部材は、上記枠部材の長手方向に延びるとともに上記主部より屋内側に配置され屋内に向かって開放された収容空間を有し、この収容空間内に上記換気調節装置が配置されており、上記収容空間は枠部材の長手方向に延びるカバー部材により覆われており、このカバー部材には、上記換気調節装置の操作つまみに対応する箇所に操作口が形成されるとともに、上記屋内側換気口に対応する箇所に補助換気口が形成されている。
上記構成によれば、枠部材の収容空間と換気調節装置をカバー部材で覆うことにより、良好な外観を維持できる。
【発明の効果】
【００１７】
本発明によれば、風雨が強い時に雨水の屋内への吹き込みを防止することができるとともに、窓用フレームの枠部材の断面積増大を抑制することができる。
【図面の簡単な説明】
【００１８】
【図１】本発明の一実施形態に係る換気装置を備えた窓を、屋内側から見た正面図であり、（Ａ）はカバー部材を装着した状態、（Ｂ）はカバー部材を取り外した状態をそれぞれ示す。
【図２】同窓を屋外側から見た背面図である。
【図３】図１（Ａ）におけるIII-III矢視断面図である。
【図４】図１（Ａ）におけるIV-IV矢視断面図である。
【図５】上記換気装置を構成する縦枠と換気調節装置とシャッタユニットを分解して示す斜視図である。
【図６】上記換気調節装置の要部を示す縦断面図である。
【図７】上記カバー部材の中間部の横断面図である。
【図８】上記シャッタユニットを分解して示す斜視図である。
【図９】上記シャッタユニットの斜視図である。
【図１０】上記シャッタユニットのシャッタ板がバネに抗して回動した状態を示す斜視図である。
【図１１】縦枠内のシャッタユニットを示す縦断面図であり、屋外の風圧が弱くシャッタ板が空気の流通を許容している状態を示す。
【図１２】縦枠内のシャッタユニットを示す縦断面図であり、屋外の風圧が強くシャッタ板が回動して空気の流通を遮断している状態を示す。
【発明を実施するための形態】
【００１９】
以下、本発明の一実施形態を図面を参照しながら説明する。図１〜図３に示すように、建物の壁１に形成された矩形をなす開口１ａは、開口フレーム２により縁取られており、この開口フレーム２には、嵌め殺し状態でサッシ窓３が固定されている。
【００２０】
開口フレーム２は、アルミ合金製の押出型材からなる上枠２ａと下枠２ｂと左右の縦枠２ｃ、２ｄを有している。サッシ窓３は、矩形をなす窓フレーム４と、この窓フレーム４に嵌められたガラス板５とを有している。窓フレーム４も、開口フレーム２と同様に、アルミ合金製の押出型材からなる上枠４ａと下枠４ｂと左右の縦枠４ｃ、４ｄを有している。
【００２１】
本実施形態の窓フレーム４は、さらに左側の縦枠４ｃに沿って固定された追加の縦枠１０（枠部材）を有しており、この縦枠１０の左側部が開口フレーム２の左側の縦枠２ｃに挿入されている。
【００２２】
上記縦枠１０もアルミ合金製の押出型材からなり、図３に示すように、縦枠１０の長手方向に延びるとともに閉断面形状で矩形をなす中空の主部１１を有している。この主部１１は、互いに平行な屋外側壁部１１ａと屋内側壁部１１ｂを有するとともに、互いに平行をなして左右方向（縦枠１０の長手方向および屋外方向と直交する方向）に対向する第１壁部１１ｃと第２壁部１１ｄとを有している。主部１０は、上記壁部１１ａ，１１ｂ，１１ｃ，１１ｄにより閉塞された内部空間１５を有している。
【００２３】
本実施形態では、主部１１は左右方向に細長い矩形の断面形状を有している。縦枠１０はさらに、主部１１の屋内側壁部１１ｂの左端部から屋内に突出する小さい断面矩形の凸部１２と、主部１１の右端から屋内に突出する突出壁部１３とを有している。
上記凸部１２と壁部１３との間には、屋内側が開放された収容空間１６が形成されている。
【００２４】
縦枠１０の収容空間１６は、押縁からなるカバー部材２０により覆われている。このカバー部材２０はアルミ合金製の押出型材からなり、裏面（屋外側の面）に左右一対の弾性爪２１を有している。カバー部材２０を屋内側から縦枠１０の収容空間１６に向かって押し込むと、弾性爪２１が凸部１２と突出壁部１３に形成された突起１２ａ，１３ａを、弾性変形を伴って乗り越えて係合する。このようにしてカバー部材２０が縦枠１０に装着されている。
【００２５】
本実施形態では、上記縦枠１０に換気構造が設けられている。以下、詳述する。
図１（Ｂ）、図２に示すように、縦枠１０の主部１１の屋外側壁部１１ａの下端部には、屋外側換気口１７が形成されている。この屋外側換気口１７は、左右方向に延び、上下方向に間隔をおいて多数形成されている。
【００２６】
図４に示すように、上記主部１１の屋外側壁部１１ａの内側には、上記屋外側換気口１７を覆うパンチングメタル２５が配置されている。このパンチングメタル２５は、断面矩形の筒形状をなす取付部材２６の屋外側の板部の内面に沿って支持されており、この取付部材２６を上記主部１１の下端部に嵌め込んで固定することにより、パンチングメタル２５が主部１１に装着されている。
屋外の空気は、屋外側換気口１７、取付部材２６の屋外側の板部に形成された開口２６ａおよびパンチングメタル２５の多数の細孔を経て主部１１の内部空間１５に流入するようになっている。
【００２７】
図５に示すように、上記縦枠１０の主部１１の屋内側壁部１１ｂにおいて、凸部１２が形成されていない領域には、上下方向に細長い屋内側換気口１８が形成されている。この屋内側換気口１８は、上記屋外側換気口１７より上方に配置されており、両換気口１７，１８間は、上下方向（縦枠１０の長手方向）に離間している。
【００２８】
上記縦枠１０の主部１１の屋内側壁部１１ｂには、上記屋内側換気口１８を覆うようにしてユニット化された換気調節装置３０がビスにより取り付けられ、収容空間１６に収容されている。
図５、図６に示すように、換気調節装置３０は、細長い装置本体３１と、この装置本体３１の下端部において上下方向に回動操作可能に支持された操作つまみ３２と、この操作つまみ３２の回動操作に伴い上下方向にスライドするスライダ３３と、このスライダ３３に下端が連結された作動板３４と、装置本体３１に固定されたカム部材（図示しない）と、を有している。作動板３４は装置本体３１に上下方向にスライド可能にかつ上下に延びる回動軸線を中心に回動可能に支持されている。
【００２９】
装置本体３１の屋外側の壁３１ａには，上記縦枠１０の屋内側換気口１８に対向した位置に通気口３１ｘが形成されており、屋内側の壁３１ｂには図５に示すように多数の通気口３１ｙが形成されている。
【００３０】
操作つまみ３２が図５、図６に示すように倒れている時には、作動板３４が装置本体３１の屋内側の壁３１ｂに接近して通気口３１ｙを閉じ、これにより縦枠１０の屋内側換気口１８での空気の流通を遮断する。
操作つまみ３２に指をかけて、図６に示す矢印方向（屋内方向）に起こすように回動させると、スライダ３３が下方にスライドし、作動板３４も同方向にスライドする。このスライドの過程でカム部材のカム作用により作動板３４が回動して装置本体３１の屋内側の壁３１ｂから離れることにより、通気口３１ｙが開放され、屋内側換気口１８での空気の流通が可能になる。
【００３１】
上記カバー部材２０は、上記換気調節装置３０および後述するシャッタユニット４０を覆う。
カバー部材２０は、換気調節装置３０の装置本体３１の屋内側の壁３１ｂに接近しており、図１（Ａ）に示すように、操作つまみ３２に対応した位置に操作口２７が形成されるとともに、上記換気調節装置３０の通気口３１ｙに対応した位置に、左右方向に延びる補助通気口２８が上下に間隔をおいて多数形成されている。
換気調節装置３０を開状態にする場合には、この操作口２７から指を挿入して、操作つまみ３２を起こす。起こされた状態の操作つまみ３２はこの操作口２７から屋内側に突出する。
【００３２】
図７に示すようにカバー部材２０の裏面には、断面Ｌ字形をなす左右一対の支持突起２２が形成されている。この支持突起２２間には、上記補助通気口２８を覆うフィルタ２９が支持されている。
【００３３】
図５に示すように、縦枠１０の主部１１の屋内側壁部１１ｂの凸部１２が形成されていない領域には、屋外側換気口１７と屋内側換気口１８との間の中間位置において、取付口１９が形成されている。この取付口１９からシャッタユニット４０が挿入されて主部１１の内部空間１５に配置されている。
【００３４】
図８〜図１２に示すように、シャッタユニット４０は、断面矩形の筒形状をなすユニット本体４１を有している。ユニット本体４１は、断面コ字形に折り曲げられた主板４２と、主板４２の上下端部内面に固定された補助板４３，４４と、主板４２の屋内側板部に固定された取付板４５と、を有している。補助板４３，４４間に、開口部４６が形成されている。
【００３５】
主板４２の上端部および下端部の外周には、それぞれパッキン４２ａ，４２ｂが取り付けられている。取付板４５は、パッキン４２ａ，４２ｂを介して主板４２の屋内側板部に固定されている。取付板４５の上下端部は、主板４２から上下に突出しており、鍔部４５ａ，４５ｂとして提供されている。
【００３６】
ユニット本体４１の内部には、シャッタ板４７が、屋内外方向に延びる回動軸線を中心に回動可能に支持されている。より具体的に説明すると、図１１、図１２に示すように、シャッタ板４７の幅方向（屋内外方向）の両側縁には、円筒形状の軸受部４７ａが固定されている。この軸受部４７ａが主板部４２に固定された中空の軸部４８に嵌められることにより、シャッタ板４７はユニット本体４１に回動可能に支持されている。
【００３７】
シャッタ板４７は、その回動軸線より下側（屋外側換気口１７側）の第１部分４７ｘと、回動軸線より上側（屋内側換気口１８側）の第２部分４７ｙとを有している。第１部分４１ｘは第２部分４７ｙより長い。
第１部分４７ｘの先端部の左側の面（第１壁部１１ｃ側の面）にはパッキン４７ｂが取り付けられており、第２部分４７ｙの先端部の右側の面（第２壁部１１ｄ側の面）にもパッキン４７ｃが取り付けられている。
【００３８】
シャッタ板４７は、中空の軸部４８内に収容された捩りコイルバネ４９（バネ）により、図１１，１２において反時計回り方向に付勢されている。捩りコイルバネ４９のコイル部は上記軸部４８の中央に形成された支持凸部４８ａに支持され、一端は軸部４８の円筒部から径方向内方向に突出した係止部４８ｂに係止され、他端は、シャッタ４７の軸受部４７ａに形成された係止部４７ｂに係止されている。
【００３９】
ユニット本体４１の上側補助板４３の両端部は、ユニット本体４１の内部空間に向かって折り曲げられており、これら端部はストッパ４３ａとして提供されている。ストッパ４３ａの右側の面にはパッキン４３ｂが取り付けられている。
【００４０】
図５に示すように、ユニット本体４１を縦枠１０の取付口１９に挿入し、鍔部４５ａ，４５ｂを屋内側壁部１１ｂの屋内側の面にビスで固定することにより、シャッタユニット４０は主部１１の内部空間１５に収容される。このシャッタユニット４０の装着状態において、主板４２の右側の板部がパッキン４２ａ，４２ｂを介して主部１１の第２壁部１１ｄに当たり、主板４２の屋外側の板部がパッキン４２ａ，４２ｂを介して主部１１の屋外側壁部１１ａに当たるため、シャッタユニット４０は、３面にわたり主部１１の右部に気密に装着されている。
【００４１】
上記シャッタユニット４０の装着状態において、シャッタユニット４０は主部１１の第１壁部１１ｃから離れており、その開口部４６が第１壁部１１ｃを向いている。シャッタ４７の回動軸線は第２壁部１１ｂ寄りに偏って配置されている。
【００４２】
上記換気装置において、屋外の風圧が弱い場合には、図１１に示すように、シャッタ板４７の第２部分４７ｙの先端部が上記パッキン４３ｂを介してストッパ４３ａに当たることにより、シャッタ板４７は反時計回り方向の回動を規制されており、上下方向（縦枠１０の長手方向）に沿う姿勢を有しており、内部空間１５での空気の流通を許容する。そのため、屋外側換気口１７、主部１１の内部空間１５、屋内側換気口１８、換気調節装置３０の通気口３１ｘ，３１ｙ、カバー部材２０の補助換気口２８を経て、屋外の空気を屋内に供給することができる。
【００４３】
通常は換気調節装置３０の操作つまみ３２を操作することにより、換気調節を行なう。すなわち、操作つまみ３２の操作により、換気調節装置３０の作動板３４を閉じ位置にすれば、屋外の空気は作動板３４により遮断されて換気がなされず、作動板３４を開き位置にすれば、換気を行なうことができる。
【００４４】
屋外の風雨が強い場合には、その強い風圧が屋外側換気口１７からシャッタ板１７に作用し、これによりシャッタ板４７は捩りコイルバネ４８の付勢力に抗して時計回り方向に回動する。この回動により、シャッタ板４７の第２部分４７ｙはストッパ４３ａから離れて第２壁部１１ｄに向かい、その先端部がパッキン４７ｃを介して主板４２の右側の板部に当たる。他方、シャッタ４７の第１部分４７ｘはシャッタユニット４０の開口部４６から突出してその先端部がパッキン４７ｂを介して第１壁部１１ｃに当たる。その結果、主部１１の内部空間１５での空気の流通を遮断できる。
【００４５】
したがって、風雨が強い時に作動板３４を開いた状態で留守にした場合でも、上述したようにシャッタ板４７が主部１０の内部空間１５を遮断することができるので、雨水が屋内に流れ込むのを防止することができる。
【００４６】
本実施形態では、縦枠１０に凸部１２が形成されていてシャッタユニット４０が第２壁部１１ｄ寄りに偏倚した状態で装着されることを余儀なくされているが、上記シャッタ板４７がシャッタユニット４０の開口部４６から突出して第１壁部１１ｃに当たるので、内部空間１５を遮断することができる。
【００４７】
本実施形態では、捩りコイルバネ４９を用いることにより、シャッタ板４７を遮断動作する時の風圧を適宜設定することができる。例えば風圧が１５０Ｐａ〜２００Ｐａの設定圧に達した時にシャッタ板４７を遮断動作させることができる。
【００４８】
本発明は、上記実施形態に限定されるものではなく、その趣旨に反しない限りにおいて種々の改変をなすことができる。
例えば、上記実施形態では、枠部材は１本の中空型材により構成されているが、複数の型材により構成され、上記実施形態と同様の中空の断面形状を得てもよい。
換気構造を設ける枠部材は、左右方向に延びる横枠であってもよい。
上記実施形態では嵌め殺しのサッシ窓３の窓フレーム４の枠部材に換気構造を設けたが、スライド可能に設けられたサッシ窓の窓フレームの枠部材に設けてもよいし、開口フレーム２の枠部材に換気構造を設けてもよい。
【００４９】
縦枠にシャッタ板を設ける場合、シャッタ板の縦枠に沿う姿勢を維持する姿勢維持手段は、シャッタ板に作用する重力だけでもよい。
シャッタ板の回転軸線が左右に延びていてもよい。
屋内側換気口に換気調節装置が嵌るようにして設置されていてもよい。
換気調節装置を省いて、枠部材の主部の内部空間を通気路とする自然換気を行なってもよい。
【産業上の利用可能性】
【００５０】
本発明は、屋内を換気するための換気装置に適用可能である。
【符号の説明】
【００５１】
２  開口フレーム（窓用フレーム）
４  窓フレーム（窓用フレーム）
１０  縦枠（枠部材）
１１  主部
１１ａ  屋外側壁部
１１ｂ  屋内側壁部
１１ｃ  第１壁部
１１ｄ  第２壁部
１５  内部空間
１６  収容空間
１７  屋外側換気口
１８  屋内側換気口
１９  取付口
２０  カバー部材
２７  操作口
２８  補助換気口
３０  換気調節装置
３２  操作つまみ
４０  シャッタユニット
４１  ユニット本体
４３ａ  ストッパ
４５ａ，４５ｂ  鍔部
４７  シャッタ板
４７ｘ  第１部分
４７ｙ  第２部分
４９  捩りコイルバネ（バネ）
【図１】
2019203613.tif 000003
【図２】
2019203613.tif 000004
【図３】
2019203613.tif 000005
【図４】
2019203613.tif 000006
【図５】
2019203613.tif 000007
【図６】
2019203613.tif 000008
【図７】
2019203613.tif 000009
【図８】
2019203613.tif 000010
【図９】
2019203613.tif 000011
【図１０】
2019203613.tif 000012
【図１１】
2019203613.tif 000013
【図１２】
2019203613.tif 000014
【手続補正書】
【提出日】平成30年11月19日(2018.11.19)
【手続補正１】
【補正対象書類名】特許請求の範囲
【補正対象項目名】請求項２
【補正方法】変更
【補正の内容】
【請求項２】
上記シャッタ板は、その回動軸線から見て上記屋外側換気口寄りの第１部分が、上記屋内側換気口寄りの第２部分より長く形成されており、
上記シャッタ板は、風圧が弱い時には、姿勢維持手段により上記枠部材の長手方向に沿う姿勢を維持されて、上記主部の上記内部空間での空気の流通を許容し、風圧が強い時には、その風圧により上記姿勢維持手段に抗して回動して、上記主部の上記内部空間での空気の流通を遮断することを特徴とする請求項１に記載の換気装置。
【手続補正２】
【補正対象書類名】特許請求の範囲
【補正対象項目名】請求項７
【補正方法】変更
【補正の内容】
【請求項７】
上記枠部材が上下方向に延びる縦枠であり、上記屋外側換気口に対して上記屋内側換気口が上方に配置されていることを特徴とする請求項１〜６のいずれかに記載の換気装置。
【手続補正３】
【補正対象書類名】明細書
【補正対象項目名】０００９
【補正方法】変更
【補正の内容】
【０００９】
好ましくは、上記シャッタ板は、その回動軸線から見て上記屋外側換気口寄りの第１部分が、上記屋内側換気口寄りの第２部分より長く形成されており、上記シャッタ板は、風圧が弱い時には、姿勢維持手段により上記枠部材の長手方向に沿う姿勢を維持されて、上記主部の上記内部空間での空気の流通を許容し、風圧が強い時には、その風圧により上記姿勢維持手段に抗して回動して、上記主部の上記内部空間での空気の流通を遮断する。
上記構成によれば、シャッタ板は枠部材の長手方向に沿う姿勢で空気の流通を許容するので、円滑な空気の流通を行なうことができ、また、第１部分と第２部分との受圧面積の差により、確実にシャッタ板が回動して空気の流通を遮断することができる。
【手続補正４】
【補正対象書類名】明細書
【補正対象項目名】００１４
【補正方法】変更
【補正の内容】
【００１４】
上記枠部材が上下方向に延びる縦枠であり、上記屋外側換気口に対して上記屋内側換気口が上方に配置されている。
上記構成によれば、シャッタ板が空気の流通を遮断している状態において、重力の作用により、屋外側換気口からの雨水が主部の壁を伝ってシャッタ板に向かって流れるのを防止できる。
【手続補正５】
【補正対象書類名】明細書
【補正対象項目名】００２２
【補正方法】変更
【補正の内容】
【００２２】
上記縦枠１０もアルミ合金製の押出型材からなり、図３に示すように、縦枠１０の長手方向に延びるとともに閉断面形状で矩形をなす中空の主部１１を有している。この主部１１は、互いに平行な屋外側壁部１１ａと屋内側壁部１１ｂを有するとともに、互いに平行をなして左右方向（縦枠１０の長手方向および屋内外方向と直交する方向）に対向する第１壁部１１ｃと第２壁部１１ｄとを有している。主部１１は、上記壁部１１ａ，１１ｂ，１１ｃ，１１ｄにより閉塞された内部空間１５を有している。
【手続補正６】
【補正対象書類名】明細書
【補正対象項目名】００２７
【補正方法】変更
【補正の内容】
【００２７】
図５に示すように、上記縦枠１０の主部１１の屋内側壁部１１ｂにおいて、凸部１２が形成されていない領域には、上下方向に細長い屋内側換気口１８が形成されている。この屋内側換気口１８は、上記屋外側換気口１７より上方に配置されており、両換気口１７，１８は、上下方向（縦枠１０の長手方向）に離間している。
【手続補正７】
【補正対象書類名】明細書
【補正対象項目名】００３８
【補正方法】変更
【補正の内容】
【００３８】
シャッタ板４７は、中空の軸部４８内に収容された捩りコイルバネ４９（バネ）により、図１１，１２において反時計回り方向に付勢されている。捩りコイルバネ４９のコイル部は上記軸部４８の中央に形成された支持凸部４８ａに支持され、一端は軸部４８の円筒部から径方向内方向に突出した係止部４８ｂに係止され、他端は、シャッタ４７の軸受部４７ａに形成された係止部４７ｅに係止されている。
【手続補正８】
【補正対象書類名】明細書
【補正対象項目名】００４１
【補正方法】変更
【補正の内容】
【００４１】
上記シャッタユニット４０の装着状態において、シャッタユニット４０は主部１１の第１壁部１１ｃから離れており、その開口部４６が第１壁部１１ｃを向いている。シャッタ４７の回動軸線は第２壁部１１ｄ寄りに偏って配置されている。
【手続補正９】
【補正対象書類名】明細書
【補正対象項目名】００４４
【補正方法】変更
【補正の内容】
【００４４】
屋外の風雨が強い場合には、その強い風圧が屋外側換気口１７からシャッタ板４７に作用し、これによりシャッタ板４７は捩りコイルバネ４９の付勢力に抗して時計回り方向に回動する。この回動により、シャッタ板４７の第２部分４７ｙはストッパ４３ａから離れて第２壁部１１ｄに向かい、その先端部がパッキン４７ｃを介して主板４２の右側の板部に当たる。他方、シャッタ４７の第１部分４７ｘはシャッタユニット４０の開口部４６から突出してその先端部がパッキン４７ｂを介して第１壁部１１ｃに当たる。その結果、主部１１の内部空間１５での空気の流通を遮断できる。
【手続補正１０】
【補正対象書類名】図面
【補正対象項目名】図１１
【補正方法】変更
【補正の内容】
【図１１】
2019203613.tif 000015
【手続補正１１】
【補正対象書類名】図面
【補正対象項目名】図１２
【補正方法】変更
【補正の内容】
【図１２】
2019203613.tif 000016